(57)【要約】【課題】  各音声モード情報の音声チャネルのマッピングを自動的に行う。【解決手段】  スイッチ部１２は、音声モード情報の各音声チャネルを入出力チャネルにどのように割り当てるかを示す音声チャネルマッピング情報に基づき、入力した音声信号をマッピングし、音声符号化部１３は、スイッチ部１２によりマッピングされた音声信号を入力し、音声モード情報により符号化して音声ＰＥＳデータ１０９を出力すると共に、音声チャネルマッピング情報を音声ＰＥＳデータ１０９と同じ伝送単位に付加する。【選択図】        図１
2006163178.tif 000002
【特許請求の範囲】
【請求項１】
音声モード情報の各音声チャネルを入出力チャネルにどのように割り当てるかを示す音声チャネルマッピング情報に基づき、入力した音声信号をマッピングするスイッチ部と、
該スイッチ部によりマッピングされた音声信号を入力し、上記音声モード情報により符号化して音声ＰＥＳ（Ｐａｃｋｅｔｉｚｅｄ  Ｅｌｅｍｅｎｔａｒｙ  Ｓｔｒｅａｍ）データを出力すると共に、上記音声チャネルマッピング情報を上記音声ＰＥＳデータと同じ伝送単位に付加する音声符号化部とを備えた符号化装置。
【請求項２】
音声符号化部は音声チャネルマッピング情報を音声ＰＥＳデータと同じ伝送単位であるＰＥＳヘッダのプライベートデータ領域内に付加することを特徴とする請求項１記載の符号化装置。
【請求項３】
音声モード情報の各音声チャネルを入出力チャネルにどのように割り当てるかを示す音声チャネルマッピング情報に基づき、入力した音声信号をマッピングするスイッチ部と、
該スイッチ部によりマッピングされた音声信号を入力し、上記音声モード情報により符号化して音声ＰＥＳデータを出力する音声符号化部と、
該音声符号化部により出力された音声ＰＥＳデータを多重すると共に、上記音声チャネルマッピング情報を上記音声ＰＥＳデータと異なる伝送単位のデータを用いて多重する多重化部とを備えた符号化装置。
【請求項４】
多重化部は音声チャネルマッピング情報を音声ＰＥＳデータと異なる伝送単位であるＰＳＩ（Ｐｒｏｇｒａｍ  Ｓｐｅｃｉｆｉｃ  Ｉｎｆｏｒｍａｔｉｏｎ）データを用いて多重することを特徴とする請求項３記載の符号化装置。
【請求項５】
音声ＰＥＳデータから該音声ＰＥＳデータと同じ伝送単位に付加されている、音声モード情報の各音声チャネルを入出力チャネルにどのように割り当てるかを示す音声チャネルマッピング情報を抽出すると共に、上記音声モード情報により上記音声ＰＥＳデータを復号して音声信号を出力する音声復号部と、
該音声復号部から出力された音声信号を上記音声チャネルマッピング情報によりマッピングして出力するスイッチ部とを備えた復号装置。
【請求項６】
音声復号部は音声ＰＥＳデータと同じ伝送単位であるＰＥＳヘッダのプライベートデータ領域内に付加されている音声チャネルマッピング情報を抽出することを特徴とする請求項５記載の復号装置。
【請求項７】
伝送されるＴＳ（Ｔｒａｎｐｏｒｔ  Ｓｔｒｅａｍ）データから、音声ＰＥＳデータと、該音声ＰＥＳデータと異なる伝送単位のデータを用いて多重された、音声モード情報の各音声チャネルを入出力チャネルにどのように割り当てるかを示す音声チャネルマッピング情報とを分離する分離部と、
分離された音声ＰＥＳデータから音声ＥＳデータを分離し、上記音声モード情報により上記音声ＥＳデータを復号して音声信号を出力する音声復号部と、
該音声復号部から出力された音声信号を上記音声チャネルマッピング情報によりマッピングして出力するスイッチ部とを備えた復号装置。
【請求項８】
分離部は音声ＰＥＳデータと異なる伝送単位であるＰＳＩデータを用いて多重された音声チャネルマッピング情報を分離することを特徴とする請求項７記載の復号装置。
【発明の詳細な説明】
【技術分野】
【０００１】
この発明は、複数の音声の入出力チャネルを使用して音声信号を送信する符号化装置及びその音声信号を受信する復号装置に関するものである。
【背景技術】
【０００２】
例えば、放送局や伝送業者で実施しているＭＰＥＧ（Ｍｏｖｉｎｇ  Ｐｉｃｔｕｒｅ  Ｅｘｐｅｒｔｓ  Ｇｒｏｕｐ）−２を使用した映像・音声伝送システムにおいて、複数の音声の入出力チャネルにどの音声チャネルを割り当てるかという音声チャネルのマッピングは、ユーザによって任意に変更することが可能である。従来は、音声モード情報とその音声チャネルのマッピングを、送り側である符号化装置と受け側である復号装置で予め取り決めておき、その取り決めに従って、符号化装置及び復号装置で設定することにより音声の伝送を行っている。
【０００３】
従来の技術として、例えば特許文献１では、コンテンツに音声データの種類、例えばモノラル、ステレオ及び二重音声等を表す音声モード情報を付加してコンテンツを符号化するコンテンツ記録装置と、コンテンツに付加されている音声モード情報を抽出し、抽出された音声モード情報に基づいて音声モードを自動的に設定してコンテンツを再生するコンテンツ再生装置が開示されているが、このコンテンツ記録装置及びコンテンツ再生装置では、各音声モード情報の音声チャネルのマッピングを設定する必要がある。
【０００４】
【特許文献１】特開２００４−２４８０５６公報（段落番号００１１，００１２，００２３，００２４）
【発明の開示】
【発明が解決しようとする課題】
【０００５】
従来の符号化装置及び復号装置は以上のように構成されているので、音声信号を正常に受信する場合には、符号化装置及び復号装置でそれぞれ各音声モード情報とその音声チャネルのマッピングを設定する必要があり、各音声モード情報の音声チャネルのマッピングが異なる場合には、正常な音声信号を損なってしまうという課題があった。
【０００６】
この発明は上記のような課題を解決するためになされたもので、各音声モード情報の音声チャネルのマッピングを自動的に行うことができる符号化装置及び復号装置を得ることを目的とする。
【課題を解決するための手段】
【０００７】
この発明に係る符号化装置は、音声モード情報の各音声チャネルを入出力チャネルにどのように割り当てるかを示す音声チャネルマッピング情報に基づき、入力した音声信号をマッピングするスイッチ部と、該スイッチ部によりマッピングされた音声信号を入力し、上記音声モード情報により符号化して音声ＰＥＳデータを出力すると共に、上記音声チャネルマッピング情報を上記音声ＰＥＳデータと同じ伝送単位に付加する音声符号化部とを備えたものである。
【発明の効果】
【０００８】
この発明により、復号装置は、符号化装置に対応して、各音声モード情報の音声チャネルのマッピングを自動的に行うことができるという効果が得られる。
【発明を実施するための最良の形態】
【０００９】
実施の形態１．
図１はこの発明の実施の形態１による符号化装置及び復号装置の構成を示すブロック図である。図１において、符号化装置１は、映像信号を符号化する映像符号化部１１と、各音声チャネルをマッピングするスイッチ部１２と、音声信号を符号化する音声符号化部１３と、符号化された映像信号及び音声信号を多重化する多重化部１４と、映像符号化部１１、スイッチ部１２、音声符号化部１３及び多重化部１４を制御する符号化制御部１５を備えている。
【００１０】
また、図１において、復号装置２は、符号化された映像信号及び音声信号を分離する分離部２１と、符号化された映像信号を復号する映像復号部２２と、符号化された音声信号復号する音声復号部２３と、各音声チャネルをマッピングするスイッチ部２４と、分離部２１、映像復号部２２、音声復号部２３及びスイッチ部２４を制御する復号制御部２５を備えている。
【００１１】
次に動作について説明する。
まず、符号化装置１の動作について説明する。
映像符号化部１１は、符号化制御部１５からの制御信号１０１に基づき、入力した映像信号を符号化して映像ＰＥＳ（Ｐａｃｋｅｔｉｚｅｄ  Ｅｌｅｍｅｎｔａｒｙ  Ｓｔｒｅａｍ）データ１０２を多重化部１４に出力する。
【００１２】
スイッチ部１２は、符号化制御部１５からの制御信号１０３に基づき、入力した音声信号１／２ｃｈ、音声信号３／４ｃｈ、音声信号５／６ｃｈ、音声信号７／８ｃｈを、音声信号１０４、音声信号１０５、音声信号１０６、音声信号１０７にマッピングして音声符号化部１３に出力する。
【００１３】
ここで、符号化制御部１５からの制御信号１０３には、符号化方式（例えばＭＰＥＧ−２ＡＡＣ）やＰＣＭ（例えばＳＭＰＴＥ３０２Ｍ）等の音声モード情報の各音声チャネル（例えばＭＰＥＧ−２ＡＡＣ５．１ｃｈの場合はＬ，Ｒ，Ｃ，ＬＦＥ，ＬＳ，ＲＳで、ＳＭＰＴＥ３０２Ｍの場合はＬ，Ｒ）を、入出力チャネルにどのように割り当てるかを示す音声チャネルマッピング情報が含まれている。すなわち、スイッチ部１２は、この音声チャネルマッピング情報が含まれている制御信号１０３に基づき、入力した音声信号１／２ｃｈ、音声信号３／４ｃｈ、音声信号５／６ｃｈ、音声信号７／８ｃｈを、音声符号化部１３内の各音声モード情報に対応する符号化器（図示せず）に入力できるように、音声信号１０４、音声信号１０５、音声信号１０６、音声信号１０７に並び替えることによりマッピングして音声符号化部１３に出力する。
【００１４】
図２は音声チャネルマッピング情報の例を示す図であり、例えば図２（ａ）の例では、入出力チャネルのＣＨ１〜ＣＨ６に、ＭＰＥＧ−２ＡＡＣ５．１ｃｈのＬ，Ｒ，Ｃ，ＬＦＥ，ＬＳ，ＲＳの各音声チャネルが割り当てられ、入出力チャネルのＣＨ７〜ＣＨ８に、ＳＭＰＴＥ３０２ＭのＬ，Ｒの各音声チャネルが割り当てられている。
【００１５】
音声符号化部１３は、符号化制御部１５からの制御信号１０８に基づき、音声チャネルマッピング情報を音声ＰＥＳデータ１０９と同じ伝送単位であるＰＥＳヘッダのプライベートデータ領域内に付加すると共に、音声信号１０４、音声信号１０５、音声信号１０６、音声信号１０７毎に各音声モード情報により指示された符号化方式やＰＣＭに基づき、音声信号１０４、音声信号１０５、音声信号１０６、音声信号１０７を符号化して音声ＰＥＳデータ１０９を多重化部１４に出力する。
【００１６】
図３は音声符号化部１３から出力される音声ＰＥＳデータ１０９のデータ構造を示す図である。図３において、音声ＰＥＳデータ１０９はＰＥＳヘッダ３０１、ＥＳ（Ｅｌｅｍｅｎｔａｒｙ  Ｓｔｒｅａｍ）ヘッダ３０２及び音声ＥＳデータ３０３により構成されている。そして、ＰＥＳヘッダ３０１のプライベートデータ領域内に音声チャネルマッピング情報がｃｈ  ＰＥＳデータ３０４として付加されている。
【００１７】
多重化部１４は、符号化制御部１５からの制御信号１１０に基づき、映像ＰＥＳデータ１０２及び音声ＰＥＳデータ１０９を多重化してＴＳ（Ｔｒａｎｐｏｒｔ  Ｓｔｒｅａｍ）データ１１１を伝送路に出力する。
【００１８】
次に復号装置２の動作について説明する。
分離部２１は、復号制御部２５からの制御信号２０１に基づき、符号化装置１から伝送されるＴＳデータ１１１から映像ＰＥＳデータ２０２と音声ＰＥＳデータ２０３とを分離し、分離した映像ＰＥＳデータ２０２を映像復号部２２に出力し、分離した音声ＰＥＳデータ２０３を音声復号部２３に出力する。映像復号部２２は、復号制御部２５からの制御信号２０４に基づき、映像ＰＥＳデータ２０２を復号して映像信号を出力する。
【００１９】
音声復号部２３は、分離された音声ＰＥＳデータ２０３から、復号制御部２５からの制御信号２０５に基づき、ＰＥＳヘッダ３０１、ＥＳヘッダ３０２を分離し、ＰＥＳヘッダ３０１にｃｈ  ＰＥＳデータ３０４として、音声ＰＥＳデータ２０３と同じ伝送単位に付加されている音声チャネルマッピング情報を抽出して信号２０６により復号制御部２５に通知すると共に、抽出した音声チャネルマッピング情報に含まれる音声モード情報により指示された符号化方式やＰＣＭに基づき、音声ＰＥＳデータ２０３内の音声ＥＳデータ３０３を復号して、音声信号２０７、音声信号２０８、音声信号２０９、音声信号２１０を出力する。
【００２０】
スイッチ部２４は、復号制御部２５からの音声チャネルマッピング情報を含んでいる制御信号２１１に基づき、入力した音声信号２０７、音声信号２０８、音声信号２０９、音声信号２１０を、音声信号１／２ｃｈ、音声信号３／４ｃｈ、音声信号５／６ｃｈ、音声信号７／８ｃｈにマッピングして出力する。
【００２１】
以上のように、この実施の形態１によれば、符号化装置１は、音声チャネルマッピング情報に基づき音声信号をマッピングして符号化すると共に、音声チャネルマッピング情報を音声ＰＥＳデータ１０９と同じ伝送単位であるＰＥＳヘッダ３０１のプライベートデータ領域内に付加して送信し、復号装置２は音声ＰＥＳデータ２０３と同じ伝送単位であるＰＥＳヘッダ３０１のプライベートデータ領域内に付加されている音声チャネルマッピング情報を抽出すると共に、抽出した音声チャネルマッピング情報に基づき音声信号を復号してマッピングして出力することにより、復号装置２は、符号化装置１に対応して、各音声モード情報の音声チャネルのマッピングを自動的に行うことができるという効果が得られる。
【００２２】
実施の形態２．
図４はこの発明の実施の形態２による符号化装置及び復号装置の構成を示すブロック図である。図４では上記実施の形態１の図１と比較して、符号化装置１においては、符号化制御部１５から多重化部１４にＰＳＩ（Ｐｒｏｇｒａｍ  Ｓｐｅｃｉｆｉｃ  Ｉｎｆｏｒｍａｔｉｏｎ）データ１２１が出力されていることと、復号装置２においては、分離部２１から復号制御部２５にＰＳＩデータ２２１が出力されていることと、音声復号部２３から復号制御部２５に出力されていた図１の信号２０６が削除されていることが異なっているのみであり、その他の構成は図１と同じである。
【００２３】
次に動作について説明する。
上記実施の形態１では、音声チャネルマッピング情報を音声ＰＥＳデータ１０９と同じ伝送単位であるＰＥＳヘッダ３０１のプライベートデータ領域内に付加して符号化装置１から復号装置２に送信しているが、この実施の形態２では、音声チャネルマッピング情報を音声ＰＥＳデータ１０９と異なる伝送単位であるＰＳＩデータ１２１を用いて送信する。ＰＳＩデータは一般的にＭＰＥＧ２で規定されているセクションデータを送る場合に使用されるものであり、この実施の形態２では、音声チャネルマッピング情報をＰＳＩデータ１２１を用いて送信する。
【００２４】
図５は音声符号化部１３から出力される音声ＰＥＳデータ１０９と符号化制御部１５から出力されるＰＳＩデータ１２１のデータ構造を示す図である。このように、音声データと異なる伝送単位であるＰＳＩデータ１２１に音声チャネルマッピング情報４０１が含まれている。
【００２５】
符号化装置１において、音声符号化部１３は、符号化制御部１５からの制御信号１０８に基づき、音声信号１０４、音声信号１０５、音声信号１０６、音声信号１０７毎に各音声モード情報により指示された符号化方式やＰＣＭに基づき、音声信号１０４、音声信号１０５、音声信号１０６、音声信号１０７を符号化して音声ＰＥＳデータ１０９を多重化部１４に出力する。
【００２６】
符号化制御部１５は音声チャネルマッピング情報をＰＳＩデータ１２１を用いて多重化部１４に出力し、多重化部１４は、符号化制御部１５からの制御信号１１０に基づき、映像ＰＥＳデータ１０２、音声ＰＥＳデータ１０９及びＰＳＩデータ１２１を多重化してＴＳデータ１１１を伝送路に出力する。その他の符号化装置１の処理については上記実施の形態１と同様である。
【００２７】
復号装置２において、分離部２１は、復号制御部２５からの制御信号２０１に基づき、符号化装置１から伝送されるＴＳデータ１１１から映像ＰＥＳデータ２０２と、音声ＰＥＳデータ２０３と、ＰＳＩデータ２２１とを分離し、分離した映像ＰＥＳデータ２０２を映像復号部２２に出力し、分離した音声ＰＥＳデータ２０３を音声復号部２３に出力し、分離したＰＳＩデータ２２１を復号制御部２５に出力する。
【００２８】
音声復号部２３は、分離された音声ＰＥＳデータ２０３から、復号制御部２５からの音声チャネルマッピング情報を含んだ制御信号２０５に基づき、ＰＥＳヘッダ３０１、ＥＳヘッダ３０２を分離し、音声チャネルマッピング情報に含まれる音声モード情報により指示された符号化方式やＰＣＭに基づき、音声ＰＥＳデータ２０３内の音声ＥＳデータ３０３を復号して、音声信号２０７、音声信号２０８、音声信号２０９、音声信号２１０を出力する。その他の復号装置２の処理については上記実施の形態１と同様である。
【００２９】
以上のように、この実施の形態２によれば、符号化装置１は、音声チャネルマッピング情報に基づき音声信号をマッピングして符号化すると共に、音声チャネルマッピング情報を音声ＰＥＳデータ１０９と異なる伝送単位であるＰＳＩデータ１２１を用いて、映像ＰＥＳデータ１０２、音声ＰＥＳデータ１０９と多重して送信し、復号装置２は多重されている音声ＰＥＳデータ２０３と異なる伝送単位であるＰＳＩデータ２２１を用いた音声チャネルマッピング情報を抽出すると共に、抽出した音声チャネルマッピング情報に基づき音声信号を復号してマッピングして出力することにより、復号装置２は、符号化装置１に対応して、各音声モード情報の音声チャネルのマッピングを自動的に行うことができるという効果が得られる。
【図面の簡単な説明】
【００３０】
【図１】この発明の実施の形態１による符号化装置及び復号装置の構成を示すブロック図である。
【図２】この発明の実施の形態１による符号化装置及び復号装置で使用する音声チャネルマッピング情報の例を示す図である。
【図３】この発明の実施の形態１による符号化装置の音声符号化部から出力される音声ＰＥＳデータのデータ構造を示す図である。
【図４】この発明の実施の形態２による符号化装置及び復号装置の構成を示すブロック図である。
【図５】この発明の実施の形態２による符号化装置の音声符号化部から出力される音声ＰＥＳデータと符号化制御部から出力されるＰＳＩデータのデータ構造を示す図である。
【符号の説明】
【００３１】
１  符号化装置、２  復号装置、１１  映像符号化部、１２  スイッチ部、１３  音声符号化部、１４  多重化部、１５  符号化制御部、２１  分離部、２２  映像復号部、２３  音声復号部、２４  スイッチ部、２５  復号制御部、１０１  制御信号、１０２  映像ＰＥＳデータ、１０３  制御信号、１０４  音声信号、１０５  音声信号、１０６  音声信号、１０７  音声信号、１０８  制御信号、１０９  音声ＰＥＳデータ、１１０  制御信号、１１１  ＴＳデータ、１２１  ＰＳＩデータ、２０１  制御信号、２０２  映像ＰＥＳデータ、２０３  音声ＰＥＳデータ、２０４  制御信号、２０５  制御信号、２０６  信号、２０７  音声信号、２０８  音声信号、２０９  音声信号、２１０  音声信号、２１１  制御信号、２２１  ＰＳＩデータ、３０１  ＰＥＳヘッダ、３０２  ＥＳヘッダ、３０３  音声ＥＳデータ、３０４  ｃｈ  ＰＥＳデータ、４０１  音声チャネルマッピング情報。
【図１】
2006163178.tif 000003
【図２】
2006163178.tif 000004
【図３】
2006163178.tif 000005
【図４】
2006163178.tif 000006
【図５】
2006163178.tif 000007